(57)【要約】  イオン光軸方向に並ぶ複数枚の電極素板により１本の仮想ロッド電極を構成し、この仮想ロッド電極をイオン光軸の周りに４本配置することで仮想四重極ロッド型イオン輸送光学系（３０）を構成する。１本の仮想ロッド電極の中で前半領域（３０Ａ）では隣接する電極素板の間隔を広くし、後半領域（３０Ｂ）では間隔を狭くする。電極間隔が広いほうが高次の多重極場成分が多くなるためにイオンアクセプタンスが大きくなり、前段から到来するイオンを効率良く受け容れることが可能となる。一方、電極間隔が狭いと四重極場成分が相対的に多くなり、イオンビームの収束性が良好になるので後段の例えば四重極質量フィルタに効率良くイオンを導入することができる。それによって、質量分析の感度や精度の向上に寄与する。
2008129751.tif 000002
【特許請求の範囲】
【請求項１】
イオン光軸方向に互いに分離されたＭ（Ｍは２以上の整数）枚の電極素板から成る仮想ロッド電極を、イオン光軸を取り囲むように２Ｎ（Ｎは２以上の整数）本配置して成る仮想多重極ロッド型イオン輸送光学系を具備する質量分析装置において、
１本の仮想ロッド電極を構成するＭ枚の電極素板にあってイオン光軸方向に隣接する電極素板の間隔が少なくとも複数種存在するようにＭ枚の電極素板が配置されていることを特徴とする質量分析装置。
【請求項２】
イオン光軸方向に互いに分離されたＭ（Ｍは２以上の整数）枚の電極素板から成る仮想ロッド電極を、イオン光軸を取り囲むように２Ｎ（Ｎは２以上の整数）本配置して成る仮想多重極ロッド型イオン輸送光学系を具備する質量分析装置において、
１本の仮想ロッド電極を構成するＭ枚の電極素板はイオン光軸方向に板厚が相違する電極素板を含むことを特徴とする質量分析装置。
【請求項３】
イオン光軸方向に互いに分離されたＭ（Ｍは２以上の整数）枚の電極素板から成る仮想ロッド電極を、イオン光軸を取り囲むように２Ｎ（Ｎは２以上の整数）本配置して成る仮想多重極ロッド型イオン輸送光学系を具備する質量分析装置において、
１本の仮想ロッド電極を構成するＭ枚の電極素板はイオン光軸方向に向いた外縁形状が相違するものを複数種類含むことを特徴とする質量分析装置。
【請求項４】
請求項１に記載の質量分析装置であって、前記仮想多重極ロッド型イオン輸送光学系は、イオン入射側で相対的に隣接電極素板の間隔が広く、イオン出射側で相対的に隣接電極素板の間隔が狭い配置であることを特徴とする質量分析装置。
【請求項５】
請求項２に記載の質量分析装置であって、前記仮想多重極ロッド型イオン輸送光学系は、イオン入射側で相対的に板厚の薄い電極素板が配置され、イオン出射側で相対的に板厚が厚い電極素板が配置されていることを特徴とする質量分析装置。
【請求項６】
請求項３に記載の質量分析装置であって、前記仮想多重極ロッド型イオン輸送光学系は、イオン入射側で相対的に幅の狭い電極素板が配置され、イオン出射側で相対的に幅の広い電極素板が配置されていることを特徴とする質量分析装置。
【請求項７】
請求項３に記載の質量分析装置であって、前記仮想多重極ロッド型イオン輸送光学系は、各電極素板のイオン光軸方向に向いた外縁形状が円弧状であり、イオン入射側で相対的にその円弧の曲率半径が小さい電極素板配置され、イオン出射側で相対的にその円弧の曲率半径が大きな電極素板が配置されていることを特徴とする質量分析装置。
【請求項８】
請求項１〜７のいずれかに記載の質量分析装置であって、前記仮想多重極ロッド型イオン輸送光学系は、四重極質量フィルタ本体の前段にプレフィルタとして配設されていることを特徴とする質量分析装置。
【請求項９】
請求項１〜７のいずれかに記載の質量分析装置であって、前記仮想多重極ロッド型イオン輸送光学系は、イオンを衝突誘起解離させるためのガスが供給される衝突セル内に配設されていることを特徴とする質量分析装置。
【請求項１０】
請求項１〜７のいずれかに記載の質量分析装置であって、Ｎは２であることを特徴とする質量分析装置。
【請求項１１】
請求項１〜７のいずれかに記載の質量分析装置であって、イオン光軸方向に互いに分離されたＭ枚の電極素板はそれぞれ、１本の柱状体からイオン光軸方向に突出する舌片体から成るものであることを特徴とする質量分析装置。
【発明の詳細な説明】
【技術分野】
【０００１】
本発明は、液体クロマトグラフ質量分析装置、ガスクロマトグラフ質量分析装置等に用いられる質量分析装置に関し、さらに詳しくは、質量分析装置においてイオンを後段に輸送するためのイオン輸送光学系に関する。
【背景技術】
【０００２】
質量分析装置では、前段から送られて来るイオンを収束し、場合によっては加速して後段の例えば四重極質量フィルタ等の質量分析器に送り込むために、イオンレンズやイオンガイドと呼ばれるイオン輸送光学系が用いられる。こうしたイオン輸送光学系の１つとして、従来より、四重極、八重極などの多重極ロッド型の構成が利用されている。また、イオンを質量に応じて分離するための質量分析器としてよく用いられる四重極質量フィルタでは、四重極ロッド電極本体へのイオンの導入を円滑に行うために、その本体の前段に短い四重極ロッド電極から成るプレフィルタ（又はプリロッドとも呼ばれる）が配置されることがあるが、このプレフィルタもイオン輸送光学系の一種であるとみることができる。【０００３】
図１５（ａ）は一般的な四重極ロッド型のイオンガイド７１０の概略斜視図、（ｂ）はイオン光軸Ｃに直交する面内でのイオンガイドの平面図である。このイオンガイド７１０は、円柱（又は円筒）形状の４本のロッド電極７１１〜７１４がイオン光軸Ｃを取り囲むように互いに平行に配置された構造を有している。一般的には、図１５（ｂ）中に示すように、イオン光軸Ｃを挟んで対向する２本のロッド電極７１１と７１３には同一の高周波電圧Ｖ・cosωｔが印加され、これと周方向に隣接する２本のロッド電極７１２、７１４には先の高周波電圧Ｖ・cosωｔと振幅が同一で位相が反転された高周波電圧−Ｖ・cosωｔが印加される。このように印加される高周波電圧±Ｖ・cosωｔにより４本のロッド電極７１１〜７１４で囲まれる空間に四重極高周波電場が形成され、この電場中でイオンを振動させつつイオン光軸Ｃ付近に収束させながら後段に輸送することができる。【０００４】
図１６は八重極ロッド型のイオンガイド７２０のイオン光軸Ｃに直交する面内での平面図である。八重極型では円柱又は円筒形状の８本のロッド電極７２１〜７２８が内接円に接するようにイオン光軸Ｃの周りに等角度間隔で配置されている。この場合に各ロッド電極７２１〜７２８に印加される高周波電圧も四重極の場合と同様である。【０００５】
上述のような四重極又はそれ以上の多重極ロッド型イオン輸送光学系では、その極子の数によってロッド電極で囲まれる空間に形成される高周波電場の形状が異なり、それに伴い、イオンビームの収束性、イオン透過性（トランスミッション）、イオン受容性（アクセプタンス）、或いは質量選択性などのイオン光学特性も相違する。一般に、極数の少ない四重極のほうが中性分子との衝突冷却（クーリング）によるビーム収束性や質量選択性が良好であり、極数が増加するに従ってビーム収束性や質量選択性は低下する反面、イオントランスミッションやイオンアクセプタンスは向上すると言える。【０００６】
このように従来型のイオン輸送光学系では極数によりイオン光学特性が異なるために、そのイオン輸送光学系が使用される雰囲気（例えばガス圧など）や前段、後段に配置されるイオン光学素子との関係などに合わせて適当な極数が選択され、さらにその極数の条件の下でロッド電極の径や長さなどのパラメータを決めるように設計が行われるのが一般的である。しかしながら、従来型のイオン輸送光学系では、パラメータの選択の自由度が小さいために必ずしも用途に応じた最適なイオン光学特性を有するイオン輸送光学系を用いることができず、そのために検出感度や精度を上げることが難しい場合がある。【０００７】
近年、分析対象物質の種類の多様化や複雑化、或いは迅速な分析の要求などに対応するため、質量分析装置のさらなる高感度化、高精度化やハイスループット化などが求められている。こうした要求に応えるために、イオン輸送光学系においても性能の向上を図る必要があるものの、実際には、上記理由により従来の多重極ロッド型の構成を基本とした性能向上には限界がある。【０００８】
【特許文献１】特開２０００−１４９８６５号公報
【特許文献２】特開２００１−３５１５６３号公報
【発明の開示】
【発明が解決しようとする課題】
【０００９】
本発明は上記課題を解決するために成されたものであり、その主な目的は、前段から到来するイオンを収束したり、場合によっては加速又は減速したりして後段に送るイオン輸送光学系の性能を向上させることで、検出感度や分析精度の向上を図ることができる質量分析装置を提供することにある。【００１０】
本願出願人は、イオンの収束性が比較的良好であるという多重極ロッド型イオンガイドの利点を生かしつつ、イオンを加速することもできるイオン輸送光学系として、図１７に示すような仮想ロッド電極を用いるイオン輸送光学系を提案し実用化している（例えば特許文献１、２など参照）。この構成では、図１５（ａ）に示した各ロッド電極７１１〜７１４をそれぞれ、イオン光軸Ｃの方向に沿って並べられた複数（この図の例では４枚だがこの枚数は任意）の平板状の電極素板７３５で構成した４本の仮想ロッド電極７３１〜７３４で置き換えている。【００１１】
この仮想多重極ロッド型イオン輸送光学系７３０では、１本の仮想ロッド電極７３１〜７３４を構成する４枚（又はそれ以上）の電極素板７３５にそれぞれ異なる電圧を印加することが可能であるから、例えばイオンが進行する方向に段階的に増加する直流電圧を高周波電圧に重畳するように印加することで形成する直流電場の作用により、仮想ロッド電極７３１〜７３４で囲まれる空間を通過する際にイオンを加速したり逆に減速させたりすることができる。【００１２】
これまで上記のような仮想多重極ロッド型イオン輸送光学系において形成される高周波電場については十分な解析が為されておらず、あくまでも極子が同数である多重極ロッド型イオン輸送光学系と同様の高周波電場が形成されるものと考えられていた。これに対し、本願発明者は仮想四重極ロッド型イオン輸送光学系において形成される高周波電場についての解析を行うことにより、一般の四重極ロッド型イオン輸送光学系とは異なり仮想四重極ロッド型イオン輸送光学系では、四重極電場のみならず、さらに高次の多重極場成分を豊富に含むことを見い出した。さらにまた、こうした高次の多重極場成分が、電極素板の厚さやイオン光軸方向において隣接する電極素板の間隔、或いは電極素板の外縁形状などにより変化することも見い出した。【００１３】
前述のように、多重極場成分はその極数により、イオンビーム収束性、イオントランスミッション、イオンアクセプタンス、質量選択性などのイオン光学特性が相違する。また、仮想多重極ロッド型イオン輸送光学系では複数枚の電極素板により１本の仮想ロッド電極が構成されるため、その複数枚の電極素板の中で板厚を変えたり隣接する電極素板間の間隔を変えたり、或いは外縁形状を変えたりすることが容易である。そこで本願発明者は、電極素板の厚さや隣接電極素板の間隔といったパラメータをイオン光軸方向で適宜に調整したり各電極素板のイオン光軸に向く外縁形状を適宜に変えたりすることにより、例えばイオン入口側とイオン出口側とで、或いはイオン入出口側とその間の中間部とで異なるイオン光学特性を実現し、この仮想多重極ロッド型イオン輸送光学系が配置される雰囲気や前段・後段に配置される構成要素に応じた最適又はそれに近い性能を得ることに想到した。
【課題を解決するための手段】
【００１４】
即ち、上記課題を解決するために成された第１発明は、イオン光軸方向に互いに分離されたＭ（Ｍは２以上の整数）枚の電極素板から成る仮想ロッド電極を、イオン光軸を取り囲むように２Ｎ（Ｎは２以上の整数）本配置して成る仮想多重極ロッド型イオン輸送光学系を具備する質量分析装置において、
１本の仮想ロッド電極を構成するＭ枚の電極素板にあってイオン光軸方向に隣接する電極素板の間隔が少なくとも複数存在するようにＭ枚の電極素板が配置されていることを特徴としている。【００１５】
また上記課題を解決するために成された第２発明は、イオン光軸方向に互いに分離されたＭ（Ｍは２以上の整数）枚の電極素板から成る仮想ロッド電極を、イオン光軸を取り囲むように２Ｎ（Ｎは２以上の整数）本配置して成る仮想多重極ロッド型イオン輸送光学系を具備する質量分析装置において、
１本の仮想ロッド電極を構成するＭ枚の電極素板はイオン光軸方向に板厚が相違する電極素板を含むことを特徴としている。【００１６】
また上記課題を解決するために成された第３発明は、イオン光軸方向に互いに分離されたＭ（Ｍは２以上の整数）枚の電極素板から成る仮想ロッド電極を、イオン光軸を取り囲むように２Ｎ（Ｎは２以上の整数）本配置して成る仮想多重極ロッド型イオン輸送光学系を具備する質量分析装置において、
１本の仮想ロッド電極を構成するＭ枚の電極素板はイオン光軸方向に向いた外縁形状が相違するものを複数種類含むことを特徴としている。【００１７】
なお、ここで「外縁形状が相違する」とは、外縁形状が例えば半円形状、矩形状、多角形状などと相違するのみならず、例えば半円形状等の相似形であってその幅や円弧状の外縁部の曲率半径が異なる場合も含む。【００１８】
上記仮想多重極ロッド型イオン輸送光学系では、イオン光軸を挟んで対向する２本の仮想ロッド電極には同一の高周波電圧（例えば＋Ｖ・cosωｔ）を印加し、イオン光軸の周りに隣接する２本の仮想ロッド電極には互いに位相が反転した高周波電圧（例えば一方が＋Ｖ・cosωｔで他方が−Ｖ・cosωｔ）を印加する。これによって、２Ｎ本の仮想ロッド電極で囲まれる空間に高周波電場が形成される。但し、高周波電圧以外に、適宜の直流電圧を重畳して印加することもできる。
【発明の効果】
【００１９】
本願発明者の上記解析によれば、電極素板の板厚が同一である場合に、隣接電極素板の間隔が狭いよりも広いほうが、四重極場成分は小さくそれよりも高次の多重極場成分は増加する。また、隣接電極素板の間隔が同一である場合には、電極素板の板厚が薄いよりも厚いほうが四重極場成分は増加する。四重極場成分が多いほうがイオンビームの収束性は良いから、１つのイオン輸送光学系の中でもイオンの収束性が重要となる領域、通常は後段へイオンを送り出すイオン出射側に近い領域で、四重極場成分が増加するようにするとよい。一方、四重極よりも高次の多重極場成分が多いほうがイオンアクセプタンスは良いから、１つのイオン輸送光学系の中でもイオンアクセプタンスが重要となる領域、通常は前段から到来するイオンを受け容れるイオン入射側に近い領域で、高次の多重極場成分が増加するようにするとよい。【００２０】
こうしたことから、第１発明の好ましい一実施態様として、前記仮想多重極ロッド型イオン輸送光学系は、イオン入射側で相対的に隣接電極素板の間隔が広く、イオン出射側で相対的に隣接電極素板の間隔が狭い配置である構成とするとよい。【００２１】
また第２発明の好ましい一実施態様として、前記仮想多重極ロッド型イオン輸送光学系は、イオン入射側で相対的に板厚の薄い電極素板が配置され、イオン出射側で相対的に板厚が厚い電極素板が配置されている構成とするとよい。【００２２】
こうした実施態様の構成によれば、前段から到来したイオンは高いアクセプタンスにより効率良く仮想多重極ロッド型イオン輸送光学系に取り込まれ、そして高いビーム収束性で以てイオン光軸近傍に収束された状態で後段に向けて送り出される。従って、この仮想多重極ロッド型イオン輸送光学系において、前段の構成要素から到来したイオンは無駄なく取り込まれるとともに、後段の構成要素に無駄なくイオンが導入されるようにすることができる。これにより、従来よりも多くの量のイオンを質量分析に供することが可能となり、分析の高感度化、高精度化を図ることができる。【００２３】
例えば液体クロマトグラフ質量分析装置では質量分離器やイオン検出器が配置された分析室内を高真空状態に維持するために多段差動排気系の構成が採られることが多いが、そうした構成ではガス圧の相違する各室を連通する開口部は非常に小さい。上記のようにイオン出射側においてイオンの収束性が高いイオン輸送光学系は、そうしたごく小さな開口部を通して後段にイオンを送り込むのに特に有用である。【００２４】
また、上記実施態様とは逆に、イオン入射側で相対的に隣接電極素板の間隔を狭く、イオン出射側で相対的に隣接電極素板の間隔を広い配置としたり、イオン入射側で相対的に板厚の厚い電極素板を配置し、イオン出射側で相対的に板厚が薄い電極素板を配置したりしてもよい。この場合には、前半部で収束したイオンを高い通過効率で後段に送り出すことができる。さらにまた、イオン輸送光学系のイオン入射側及び出射側とその間の中間部とで隣接電極素板の間隔や各電極素板の厚さを変えるようにしてもよい。こうした構成により、例えば、イオン輸送光学系の中間部付近にイオンを一時的に蓄積する、イオントラップに近い作用を持たせることが可能となる。【００２５】
また、各電極素板においてイオン光軸方向に向いた外縁形状を変えることによっても、上述のように電極素板の厚さや隣接間隔を変えるのと同様の作用を生じさせることが可能であるから、第３発明に係る質量分析装置によっても第１発明及び第２発明と同等の効果を達成することができる。【００２６】
具体的な実施態様として、第３発明に係る質量分析装置において、前記仮想多重極ロッド型イオン輸送光学系は、イオン入射側で相対的に幅の狭い電極素板が配置され、イオン出射側で相対的に幅の広い電極素板が配置されている構成とすることができる。また、前記仮想多重極ロッド型イオン輸送光学系は、各電極素板のイオン光軸方向に向いた外縁形状が円弧状であり、イオン入射側で相対的にその円弧の曲率半径が小さい電極素板配置され、イオン出射側で相対的にその円弧の曲率半径が大きな電極素板が配置されている構成としてもよい。【００２７】
なお、上記仮想多重極ロッド型イオン輸送光学系は、質量分析装置においてイオンを後段に輸送する必要がある個所であれば広く利用することができるが、例えば四重極質量フィルタ本体の前段にプレフィルタとして配設された構成とすることができる。【００２８】
一般に、四重極質量フィルタは真空度の高い（ガス圧の低い）分析室内に配置されるため、この前段に配設されるプレフィルタではクーリングによるイオンビームの収束があまり期待できない。その場合でも、上記構成によれば電場の作用によりイオンを収束させて効率良く四重極質量フィルタ本体に導入することができる。【００２９】
また、上記仮想多重極ロッド型イオン輸送光学系は、イオンを衝突誘起解離させるためのガスが供給される衝突セル内に配設されている構成とすることもできる。この構成によれば、前段の例えば四重極質量フィルタで質量選別されたプリカーサイオンを効率良く取り込んで衝突誘起解離により開裂させ、それにより生成されたプロダクトイオンをイオン光軸付近に収束させて効率良く後段の例えば四重極質量フィルタに導入することができる。【００３０】
また、第１乃至第３発明に係る質量分析装置において、ＮはＮ以上の任意の整数とすることができるが、四重極場成分による高いイオンビーム収束性や質量選択性といったイオン光学特性を利用するために、Ｎは２であるものとするとよい。【００３１】
また、第１乃至第３発明に係る質量分析装置において、「イオン光軸方向に互いに分離されたＭ枚の電極素板」は、それらで囲まれるイオン光軸を中心とする空間に形成される多重極高周波電場に影響を与える範囲で、つまりイオン光軸から径方向に所定範囲内で、イオン光軸方向に互いに分離されていればよい。換言すれば、それよりも遠い位置ではＭ枚の電極素板は互いに連結又は接続されていてもよい。したがって、例えば１本の柱状の導体体ロッドを切削加工することにより、柱状体の周面にＭ枚の電極素板に相当するＭ枚の舌片体が突出した形状としてもよい。但し、この場合には、イオン光軸方向に並ぶＭ枚の実質的な電極素板（舌片体）は互いに電気的には接続されているから、イオン光軸方向に異なる直流電場を形成した場合には不向きである。
【図面の簡単な説明】
【００３２】
【図１】仮想四重極ロッド型イオン輸送光学系の一例の構成図。
【図２】仮想四重極ロッド型イオン輸送光学系の他の例の構成図。
【図３】本発明の一実施例の質量分析装置の要部の構成図。
【図４】図３中のプレフィルタとして利用されるＱアレイの一例を示す構成図。
【図５】図３中のプレフィルタとして利用されるＱアレイの他の例を示す構成図。
【図６】図３中のプレフィルタとして利用されるＱアレイの他の例を示す構成図。
【図７】図３中のプレフィルタとして利用されるＱアレイの他の例を示す構成図。
【図８】図４に示したＱアレイの変形例のを示す構成図。
【図９】図４に示したＱアレイの変形例のを示す構成図。
【図１０】図５に示したＱアレイの変形例のを示す構成図。
【図１１】図５に示したＱアレイの変形例のを示す構成図。
【図１２】図３中のプレフィルタとして利用されるＱアレイの他の例を示す構成図。
【図１３】本発明の他の実施例によるＭＳ／ＭＳ型質量分析装置の要部の構成図。
【図１４】図１３中の衝突セル内に配設されるＱアレイの一例を示す構成図。
【図１５】従来の一般的な四重極ロッド型イオンガイドの概略構成図。
【図１６】従来の一般的な八重極ロッド型イオンガイドの概略構成図。
【図１７】従来の仮想四重極ロッド型イオン輸送光学系の概略構成図。
【符号の説明】
【００３３】
１…ノズル
２…サンプリングコーン
３…第１イオンレンズ
４…第２イオンレンズ
５…分析室
６…プレフィルタ
７…四重極質量フィルタ
８…イオン検出器
１０、２０、３０、４０、５０、７０、８０、９０…Ｑアレイ
１１１〜１４Ｍ、３１１〜３４Ｍ、４１１〜４４Ｍ、５１１〜５４Ｍ、８１１〜８４３、９１１〜９４３…電極素板
３０Ａ、４０Ａ、５０Ａ…前半領域
３０Ｂ、４０Ｂ、５０Ｂ…後半領域
６０…第１段四重極質量フィルタ
６１…衝突セル
６１１…入口側アパーチャ開口
６１２…出口側アパーチャ開口
６３…第２段四重極質量フィルタ
Ｃ…イオン光軸
【発明を実施するための最良の形態】
【００３４】
まず、本発明に係る質量分析装置における仮想多重極ロッド型イオン輸送光学系の原理を説明する。いまここで、図１に示す構成の仮想四重極ロッド型のイオン輸送光学系（以下「Ｑアレイ」と呼ぶ）を考える。図１（ａ）はＱアレイ１０のイオン光軸Ｃに直交する面内での概略平面図、（ｂ）は（ａ）をｙ軸で切断した概略断面図である。【００３５】
イオン光軸Ｃの方向（つまりｚ軸方向）に所定間隔ｄずつ離間されて１列に並ぶＭ枚の電極素板１１１〜１１Ｍが１本の仮想ロッド（図には記載しないが、これを仮想的に１１とする）を構成し、この仮想ロッドが４本（１１、１２、１３、１４）、イオン光軸Ｃの周りに９０°角度間隔離れて回転対称に配置されて四極を構成している。また、イオン光軸Ｃに直交するｘ軸−ｙ軸平面上に、イオン光軸Ｃとの交点を中心に９０°回転対称に配置される４枚の電極素板（例えば１１１、１２１、１３１、１４１）が１段と数えられ、これがｚ軸方向にＭ面並んでＭ段を構成している。従って、このＱアレイ１０は全部で４×Ｍ枚の電極素板を有している。【００３６】
これら電極素板は全て板厚がｔである金属板（又は金属と同等の他の導電性部材）から成り、一端が円弧状に形成された、幅が２ｒである細長い形状となっている。各電極素板の円弧状の部分がイオン光軸Ｃを中心とする円に内接するように配置される。この内接円の半径、つまり、イオン光軸Ｃから各電極素板までの最短距離はＲである。【００３７】
一般に、多重極ロッド電極により生成されるポテンシャルは、次の多重極展開による表現が可能であることが知られている。
Φ（ｒ，Θ）＝Σ（Ｋｎ／Ｒｎ）ｒｎ・ｃｏｓ（ｎΘ）      …(1)
但し、Σはｎについての総和であって、ｎは多重極場の次数を表す正の整数である。また、Ｋｎが多重極展開係数である。そこで、図１に示した構成において電極素板の幅２ｒ、内接円半径Ｒを或る一定値とし、隣接電極素板の間隔ｄ、電極素板の厚さｔを変化させたときのポテンシャルを(1)式に従って多重極展開した際の展開係数を計算により求めた。その計算結果を表１に示す。また、参考として、図８に示したような一般的な四重極型ロッド電極を用いたイオン輸送光学系に対する多重極展開係数の計算値を表２に示す。【００３８】
【表１】
2008129751.tif 000003
【表２】
2008129751.tif 000004
【００３９】
ここでＫｎは２ｎ重極場の成分に対応した係数である。従って、例えばＫ２は四重極場の成分の展開係数であり、Ｋ６は十二極場の成分の展開係数である。Ｋ２、Ｋ６。Ｋ１０、Ｋ１４を選んだのはこれらの展開係数がゼロとはみなせない有意な値を示すからである。表１と表２とを比較すれば分かるように、Ｑアレイは一般の四重極ロッド型に比べて高次の多重極展開係数の値が大きいことが分かる。これは、Ｑアレイにより形成される高周波電場は、図１に示したような四重極の構成であっても四重極場のみならず高次の多重極場成分を多く有することを意味している。また、同じ電極素板の厚さｔであれば、隣接電極素板の間隔ｄが大きいほうが四重極展開係数Ｋ２は減少し、その代わりに高次の多重極展開係数Ｋ６、Ｋ１０、Ｋ１４が増加することが分かる。また、同じ隣接電極素板の間隔ｄであっても、電極素板の厚さｔが異なれば展開係数が明確に変化することも分かる。【００４０】
なお、電極幅２ｒや内接円半径Ｒといったパラメータを変化させても展開係数は変化する。これらパラメータの変化による展開係数の変化は、電極素板の厚さｔや隣接電極素板の間隔ｄといったパラメータの変化に伴う展開係数の変化の度合いに比べると小さいものの、電極素板の厚さｔや隣接電極素板の間隔ｄとの併用により、或いは単独で利用することもできる。【００４１】
上述のように、Ｑアレイは通常の四重極ロッド型のイオン輸送光学系に比べて高次の多重極場成分を多く含んでおり、しかも、電極素板厚さｔや電極素板間隔ｄといったパラメータを変えることで高次の多重極場成分の量を調整することが可能である。極数の小さな四重極場成分は高次の多重極場成分よりもイオンビームの収束性に優れるとともに質量選択性も強く、逆に高次の多重極場成分は四重極場成分に比べてビーム収束性や質量選択性は劣るものの、ビームアクセプタンスやイオントランスミッションなどの点では優れる。Ｑアレイでは、１本の仮想ロッドの中でそれを構成するＭ枚の電極素板の間隔や厚さ、或いは幅といったパラメータを変えることができるから、例えば前段や後段に配置されているイオン光学素子の種類やこのＱアレイが配置される雰囲気条件（例えばガス圧など）に合わせて、イオン光軸Ｃ方向にそれらパラメータを相違させる（つまり一定でなくする）ことにより、目的とするイオンをより良好に後段に送ることができる。【００４２】
なお、図１（ａ）に対応する図２に示すように、電極素板の形状は一端が半円状ではない単なる長方形状の電極素板（例えば２１１〜２４１）でも同様に、電極素板の厚さｔやイオン光軸Ｃ方向の隣接電極素板の間隔ｄを相違させることで、多重極場成分の大きさを調整してイオンをより良好に後段に送ることが可能となる。さらにまた、イオン光軸Ｃに面する電極素板の外縁形状を、イオン光軸Ｃに沿って、半円状、矩形状、尖頭状など適宜に変えることによっても多重極場成分の大きさが変化する。Ｑアレイでは、１本の仮想ロッドの中でそれを構成するＭ枚の電極素板毎に外縁形状を変えることも容易であるから、電極素板の厚さｔや隣接電極素板の間隔ｄを変える以外に、電極素板の外縁形状を変えるようにしてもよい。
【実施例】
【００４３】
次に、本発明に係る質量分析装置の一実施例である質量分析装置を図面を参照して説明する。図３は本実施例の質量分析装置の要部の構成図である。【００４４】
この質量分析装置はイオン源にエレクトロスプレイイオン源を用いた大気圧イオン化質量分析装置であって、前段には液体クロマトグラフが設けられ、液体クロマトグラフのカラムで成分分離された試料液がノズル１に導入される。ノズル１から片寄った電荷を付与されつつ略大気圧雰囲気中に噴霧（エレクトロスプレイ）された試料液の液滴から溶媒が気化する過程で試料に含まれる各種成分はイオン化され、サンプリングコーン２を通過して後段へと送られる。このイオンは、第１イオンレンズ３及び第２イオンレンズ４を通過する際に収束され、場合によっては加速されて高真空雰囲気に維持される分析室５に導入される。【００４５】
この分析室５内には、特定の質量（厳密には質量電荷比m/z）を有するイオンのみを選択的に通過させる４本のロッド電極から成る四重極質量フィルタ７が配設されているが、その四重極質量フィルタ７の直前にはプレフィルタ６が設けられ、このプレフィルタ６により、四重極質量フィルタ７の４本のロッド電極で囲まれる空間にイオンが効率良く導入されるようにしている。四重極質量フィルタ７を通り抜けたイオンはイオン検出器８に導入され、到達したイオン量に応じた検出信号が出力される。【００４６】
従来、プレフィルタとして四重極質量フィルタ７のロッド電極よりも短いロッド電極（プレロッドと呼ばれる）を四重極配置したものが利用されているが、本実施例の質量分析装置では、このプレフィルタ６として上述したような原理に基づくＱアレイを利用している。【００４７】
図４はプレフィルタ６として利用されるＱアレイの一例を示す図である。このＱアレイ３０はイオン光軸Ｃに直交するｘ軸−ｙ軸平面内での電極素板（例えば３１１〜３４１）の配置は図１（ａ）と同じであり、また全ての電極素板の形状（つまり電極は板２ｒ）や厚さｔも図１に示したものと同じである。従って、全ての電極素板について電極幅２ｒや厚さｔは同一である。これに対し、イオン光軸Ｃ方向の隣接電極素板の間隔は一定ではなく、間隔がｄ１である前半領域３０Ａと間隔がｄ１よりも狭いｄ２である後半領域３０Ｂとに分けられる。即ち、１本の仮想ロッド電極の中で、隣接電極素板の間隔についてｄ１、ｄ２という異なる２種類の間隔が存在している。【００４８】
前述のように隣接電極の間隔が広いほうが狭い場合に比べて高次の多重極場成分が相対的に大きくなるから、イオンのアクセプタンスが高くなる。本実施例の質量分析装置において、分析室５の前段の中間真空室から分析室５に送り込まれたイオンは略円錐形状に拡がりつつ進行するが、Ｑアレイ３０の前半領域３０Ａのイオンアクセプタンスを高くしておくことにより、イオンを無駄なく受け容れることができる。高次の多重極場成分が大きいほうがイオンのトランスミッションも良くなるから、上記のように高い効率で受け容れたイオンを無駄なく後半領域３０Ｂに送ることができる。【００４９】
一方、Ｑアレイ３０の後半領域３０Ｂでは前半領域３０Ａに比べると隣接電極の間隔が狭くなって、その代わりに四重極場成分が相対的に大きくなるから、イオンの収束性が高まり、イオン流はイオン光軸Ｃ付近に集中し易くなる。つまり、図４に示した構成によれば、前段から送られて来たイオンを高いアクセプタンスにより効率良く４本の仮想ロッドで囲まれる空間に取り込み、そして、イオンが進行する間にイオンビームの拡がりを絞り、次段の四重極質量フィルタ７に効率良く入射するように送り出すことができる。これにより、従来のように単なる四重極のプリロッドを使用した場合に比べてより多量の目的イオンを四重極質量フィルタ７に入射させることができ、それによって四重極質量フィルタ７で選別されてイオン検出器８に到達するイオンの量も多くなり、質量分析の感度や精度を向上させることができる。【００５０】
図５はプレフィルタ６として利用されるＱアレイの別の例を示す図である。このＱアレイ４０では、１本の仮想ロッド電極の中で、隣接する電極素板の間隔ｄは一定であるものの、電極素板の厚さについてｔ１、ｔ２という異なる２種類の厚さが存在している。即ち、前半領域４０Ａでは電極素板の厚さは薄いｔ１であり、後半領域４０Ｂでは電極素板の厚さはｔ１よりも厚いｔ２である。【００５１】
前掲の表１を見れば分かるように、電極素板の厚さが厚いほうが薄い場合に比べて四重極場成分が大きくなるから、イオンの収束性が良くなる。そのため、Ｑアレイ４０に入射したイオンが後半領域４０Ｂに入ると、イオン光軸Ｃ付近にイオンが集中し易くなる。従って、従来のように単なるプリロッドを使用した場合に比べて四重極質量フィルタ７により多量の目的イオンを入射させることができ、それによって質量分析の感度、精度を向上させることができる。【００５２】
図６はプレフィルタ６として利用されるＱアレイのさらに別の例を示す図である。このＱアレイ８０では、１本の仮想ロッド電極の中で、隣接する電極素板の間隔及び各電極素板の厚さは一定であるが、各電極素板の幅、即ち、広い意味でのイオン光軸Ｃに向いた外縁形状が相違している。即ち、イオン入射側の４枚の電極素板８１１〜８１４の幅は最も狭く、イオン出射側に向かって順に電極素板の幅が広くなっている。これにより、図４、図５の構成と同様の効果を奏する。なお、この例では、イオン光軸Ｃに向いた各電極素板の外縁形状は半円形状であるため、幅の相違はその半径形状の円弧の曲率半径が相違することと同じである。【００５３】
図７はプレフィルタ６として利用されるＱアレイのさらに別の例を示す図である。このＱアレイ９０では、１本の仮想ロッド電極の中で、隣接する電極素板の間隔及び各電極素板の厚さは一定であるが、各電極素板にあってイオン光軸Ｃに向いた外縁形状が相違している。即ち、イオン入射側の４枚の電極素板９１１〜９１４の外縁形状は尖頭状であり、その後方の４枚の電極素板９２１〜９２４の外縁形状は半円形状であり、イオン出射側の４枚の電極素板９３１〜９３４の外縁形状は矩形状である。これにより、図４、図５、図６の構成と同様の効果を奏する。【００５４】
上述の図４〜図７に示した構成のＱアレイは、特にイオン出射側におけるイオンの収束性を重視したものである。これは、図３に示したような多段差動排気系の構成を有する大気圧イオン化質量分析装置に特に有用である。何故なら、こうした多段差動排気系の構成では、隣接する真空室を隔てる隔壁に形成された開口部が微小であって、その開口部の通過効率を高めるにはイオンをできるだけイオン光軸Ｃ近傍に収束させる必要があるからである。これに対し、このＱアレイから送り出されたイオンが比較的広い範囲で受容される場合には、イオン出射側におけるイオンの収束性はあまり重要でなく、イオンの透過性を重視したほうが総合的なイオンの輸送効率は向上する。【００５５】
そうした目的のためには、例えば図８又は図１０に示すＱアレイ３０’、４０’の構成とするとよい。図８に記載のＱアレイ３０’は、図４に示したＱアレイ３０とは逆に、前半領域３０Ａにおいてイオン光軸Ｃ方向に隣接する電極素板の間隔をｄ２とし、後半領域３０Ｂにおいてその間隔をｄ２よりも広いｄ１としている。即ち、この場合にも、１本の仮想ロッド電極の中で、隣接電極素板の間隔についてｄ１、ｄ２という異なる２種類の間隔が存在している。図１０に記載のＱアレイ４０’は、図５に示したＱアレイ４０とは逆に、前半領域４０Ａにおいて各電極素板の厚さをｔ２とし、後半領域４０Ｂにおいて各電極素板の厚さをｔ２よりも薄いｔ１としている。即ち、この場合にも、１本の仮想ロッド電極の中に板厚の相違する電極素板を含んでいる。【００５６】
Ｑアレイ３０’、４０’の構成によれば、前半領域３０Ａ、４０Ａではイオンのアクセプタンスが相対的に狭いが、もともとイオン光軸Ｃ近傍に収束された状態でイオンが入射してくれば問題がなく、後半領域３０Ｂ、４０Ｂに達した後には相対的に高い透過性で以てイオンを後段へと送り出すことができる。【００５７】
また、単に前半領域と後半領域とで隣接電極素板間隔や電極素板厚さを変えるのではなく、より複雑な組み合わせとすると、Ｑアレイに別の機能を付加することもできる。図９に記載のＱアレイ３０''は、イオン光軸Ｃ方向に、前半領域３０Ａ、中間領域３０Ｃ、後半領域３０Ｂに分け、イオン入射側の前半領域３０Ａとイオン出射側の後半領域３０Ｂでは隣接電極素板間隔を相対的に狭いｄ２とし、中間領域３０Ｃでは隣接電極素板間隔を相対的に広いｄ１としている。このような構成では、中間領域３０Ｃにおけるイオンアクセプタンスが相対的に大きくなるので、入射して来たイオンをこの中間領域３０Ｃに一時的に蓄積し易くなる。したがって、或る程度の時間幅の間に生成されたイオンを一旦このＱアレイ３０''の中に溜め、その後に、溜めておいたイオンをまとめてイオントラップなどに導入することができる。【００５８】
また、これと同様の機能を発揮させるために、図１１に示すようなＱアレイ４０''の構成としてもよい。即ち、図１１に記載のＱアレイ４０''は、イオン入射側の前半領域４０Ａとイオン出射側の後半領域４０Ｂでは電極素板の厚さを相対的に厚いｔ２とし、中間領域４０Ｃでは電極素板の厚さを相対的に薄いｔ１としている。【００５９】
また、上述した各種形態のＱアレイ３０、３０’、３０''、４０、４０’、４０''、８０、９０はいずれも、１本の仮想ロッド電極を構成する複数の電極素板がイオン光軸Ｃの方向に完全に分離されているが、その効果は多重極高周波電場によるポテンシャルの変化により達成されるものであるので、多重極高周波電場の形成に実質的に影響を及ぼさない部位において複数の電極素板は接続されていてもよい。その一例として、図１２に示すような構造のＱアレイ７０とすることができる。図１２（ａ）はＱアレイ７０のイオン光軸Ｃに直交する面内での概略平面図、（ｂ）は（ａ）をｙ軸で切断した概略端面図である。【００６０】
１本の柱状体の金属（又は他の導電性材料）ロッドを切削加工することで、間に空隙を有してイオン光軸Ｃ方向に隣接するＭ枚の舌片体（例えば７１１〜７１Ｍ）を有する電極ブロック（例えば７１）が形成され、４本の電極ブロック７１〜７４をイオン光軸Ｃの周りに配置することでＱアレイ７０が構成されている。１本の電極ブロック７１に含まれるＭ枚の舌片体７１１〜７１Ｍが実質的に電極素板となり、多重極高周波電場に関しては、図４などのように、電極素板が完全に分離された構造とほぼ同じ状態を達成し得る。但し、この構造の場合、イオン光軸Ｃの方向に並ぶＭ枚の舌片体は同電位となるので、イオン光軸Ｃの方向に隣接する電極素板に異なる直流電圧を印加することで直流的な電位勾配を持たせることはできない。【００６１】
上記実施例では、四重極質量フィルタ７のプレフィルタ６に本発明の特徴であるＱアレイを利用していたが、イオンを収束したり輸送したりするための機能を有する他のイオン輸送光学系にも利用できることは当然である。【００６２】
図１３は本発明の他の実施例であるＭＳ／ＭＳ型質量分析装置の概略構成図である。図１３中、図１と同じ構成要素には同じ符号を付して説明を省略する。この質量分析装置では、分析室５内にイオンの進行の順に第１段四重極質量フィルタ６０、衝突セル６１、第２段四重極質量フィルタ６３が配設されている。衝突セル６１内に上述したようなＱアレイが配設されている。分析室５において第１段四重極質量フィルタ６０には様々な質量を有するイオンが導入されるが、特定の質量（厳密には質量電荷比m/z）を有する目的イオン（プリカーサイオン）のみが第１段四重極質量フィルタ６０を選択的に通過して次段の衝突セル６１に送られ、それ以外のイオンは途中で発散してしまう。【００６３】
衝突セル６１内にはアルゴンガス等の所定の衝突誘起解離（ＣＩＤ）ガスが導入されており、上記目的イオンは衝突セル６１内に配設されたＱアレイ５０により形成される電場を通過する際にＣＩＤガスに衝突すると開裂し、各種のプロダクトイオンが生成される。これら各種のプロダクトイオンや開裂しなかった目的イオンは衝突セル６１から出て第２段四重極質量フィルタ６３に導入され、特定の質量を有するプロダクトイオンのみが第２段四重極質量フィルタ６３を選択的に通過してイオン検出器８に送られ、それ以外のイオンは途中で発散してしまう。【００６４】
こうしてイオン検出器８には特定の質量を有するプロダクトイオンのみが到達し、そのイオンの量に応じた検出信号が出力される。第２段四重極質量フィルタ６３に印加する電圧を走査することにより、該四重極質量フィルタ６３で選択されるプロダクトイオンの質量を走査することができる。また、第１段四重極質量フィルタ６０に印加する電圧を変化させることにより、該四重極質量フィルタ６０で選択されるイオン、つまりプリカーサイオンの質量を変更することができる。【００６５】
図１４は衝突セル６１内に配置されるＱアレイ５０の構成を示す図である。衝突セル６１に穿設された入口側アパーチャ開口６１１と出口側アパーチャ開口６１２との間に配設されたＱアレイ５０では、１本の仮想ロッド電極の中で、電極素板の間隔がｄ１、ｄ２という異なる２種類、電極素板の厚さもｔ１、ｔ２という異なる２種類が存在している。前半領域５０Ａにおいては電極素板の厚さはｔ１で電極間隔はｄ１であり、後半領域５０Ｂでは電極素板の厚さはｔ１よりも厚いｔ２で電極間隔はｄ１よりも狭いｄ２である。従って、このＱアレイ５０は図４に示したＱアレイ３０と図５に示したＱアレイ４０とを合わせたような作用となり、前半領域５０Ａでは多重極場成分の作用が強く、後半領域では四重極場の作用がより強くなる。【００６６】
即ち、前半領域５０Ａでは高いイオンアクセプタンスでプリカーサイオンを収集し、これから発生したプロダクトイオンを高いトランスミッションで後半領域５０Ｂに送り、後半領域５０Ｂではプロダクトイオンをイオン光軸Ｃ付近に収束させて出口側アパーチャ開口６１２を効率良く通過させ、第２段四重極質量フィルタ６３に送り込むことができる。これによって、例えばプロダクトイオンの信号強度を高くすることができる。【００６７】
以上のように、本発明に係る質量分析装置において特徴的な仮想多重極イオン輸送光学系では、１つのイオン光学系において例えばイオン入口側とイオン出口側とで高次の多重極場成分を適宜に調整することができるので、従来の多重極イオン輸送光学系や仮想多重極イオン輸送光学系に比べてより高い効率でイオンを後段にイオン光学素子に送り込むことができる。【００６８】
なお、上記実施例はいずれも本発明の一例に過ぎず、本発明の趣旨の範囲で適宜、変更や修正、追加を行っても本願請求の範囲に包含されることは当然である。
【図１】
2008129751.tif 000005
【図２】
2008129751.tif 000006
【図３】
2008129751.tif 000007
【図４】
2008129751.tif 000008
【図５】
2008129751.tif 000009
【図６】
2008129751.tif 000010
【図７】
2008129751.tif 000011
【図８】
2008129751.tif 000012
【図９】
2008129751.tif 000013
【図１０】
2008129751.tif 000014
【図１１】
2008129751.tif 000015
【図１２】
2008129751.tif 000016
【図１３】
2008129751.tif 000017
【図１４】
2008129751.tif 000018
【図１５】
2008129751.tif 000019
【図１６】
2008129751.tif 000020
【図１７】
2008129751.tif 000021
【手続補正書】
【提出日】平成21年5月12日(2009.5.12)
【手続補正１】
【補正対象書類名】明細書
【補正対象項目名】００３０
【補正方法】変更
【補正の内容】
【００３０】
また、第１乃至第３発明に係る質量分析装置において、Ｎは２以上の任意の整数とすることができるが、四重極場成分による高いイオンビーム収束性や質量選択性といったイオン光学特性を利用するために、Ｎは２であるものとするとよい。
【手続補正２】
【補正対象書類名】明細書
【補正対象項目名】００３１
【補正方法】変更
【補正の内容】
【００３１】
また、第１乃至第３発明に係る質量分析装置において、「イオン光軸方向に互いに分離されたＭ枚の電極素板」は、それらで囲まれるイオン光軸を中心とする空間に形成される多重極高周波電場に影響を与える範囲で、つまりイオン光軸から径方向に所定範囲内で、イオン光軸方向に互いに分離されていればよい。換言すれば、それよりも遠い位置ではＭ枚の電極素板は互いに連結又は接続されていてもよい。したがって、例えば１本の柱状の導電体ロッドを切削加工することにより、柱状体の周面にＭ枚の電極素板に相当するＭ枚の舌片体が突出した形状としてもよい。但し、この場合には、イオン光軸方向に並ぶＭ枚の実質的な電極素板（舌片体）は互いに電気的には接続されているから、イオン光軸方向に異なる直流電場を形成したい場合には不向きである。
【手続補正３】
【補正対象書類名】明細書
【補正対象項目名】００３２
【補正方法】変更
【補正の内容】
【００３２】
【図１】仮想四重極ロッド型イオン輸送光学系の一例の構成図。
【図２】仮想四重極ロッド型イオン輸送光学系の他の例の構成図。
【図３】本発明の一実施例の質量分析装置の要部の構成図。
【図４】図３中のプレフィルタとして利用されるＱアレイの一例を示す構成図。
【図５】図３中のプレフィルタとして利用されるＱアレイの他の例を示す構成図。
【図６】図３中のプレフィルタとして利用されるＱアレイの他の例を示す構成図。
【図７】図３中のプレフィルタとして利用されるＱアレイの他の例を示す構成図。
【図８】図４に示したＱアレイの変形例を示す構成図。
【図９】図４に示したＱアレイの変形例を示す構成図。
【図１０】図５に示したＱアレイの変形例を示す構成図。
【図１１】図５に示したＱアレイの変形例を示す構成図。
【図１２】図３中のプレフィルタとして利用されるＱアレイの他の例を示す構成図。
【図１３】本発明の他の実施例によるＭＳ／ＭＳ型質量分析装置の要部の構成図。
【図１４】図１３中の衝突セル内に配設されるＱアレイの一例を示す構成図。
【図１５】従来の一般的な四重極ロッド型イオンガイドの概略構成図。
【図１６】従来の一般的な八重極ロッド型イオンガイドの概略構成図。
【図１７】従来の仮想四重極ロッド型イオン輸送光学系の概略構成図。
【手続補正４】
【補正対象書類名】明細書
【補正対象項目名】００３９
【補正方法】変更
【補正の内容】
【００３９】
ここでＫｎは２ｎ重極場の成分に対応した係数である。従って、例えばＫ２は四重極場の成分の展開係数であり、Ｋ６は十二重極場の成分の展開係数である。Ｋ２、Ｋ６、Ｋ１０、Ｋ１４を選んだのはこれらの展開係数がゼロとはみなせない有意な値を示すからである。表１と表２とを比較すれば分かるように、Ｑアレイは一般の四重極ロッド型に比べて高次の多重極展開係数の値が大きいことが分かる。これは、Ｑアレイにより形成される高周波電場は、図１に示したような四重極の構成であっても四重極場のみならず高次の多重極場成分を多く有することを意味している。また、同じ電極素板の厚さｔであれば、隣接電極素板の間隔ｄが大きいほうが四重極展開係数Ｋ２は減少し、その代わりに高次の多重極展開係数Ｋ６、Ｋ１０、Ｋ１４が増加することが分かる。また、同じ隣接電極素板の間隔ｄであっても、電極素板の厚さｔが異なれば展開係数が明確に変化することも分かる。
【手続補正書】
【提出日】平成21年9月14日(2009.9.14)
【手続補正１】
【補正対象書類名】明細書
【補正対象項目名】００４７
【補正方法】変更
【補正の内容】
【００４７】
図４はプレフィルタ６として利用されるＱアレイの一例を示す図である。このＱアレイ３０はイオン光軸Ｃに直交するｘ軸−ｙ軸平面内での電極素板（例えば３１１〜３４１）の配置は図１（ａ）と同じであり、また全ての電極素板の形状（つまり電極幅２ｒ）や厚さｔも図１に示したものと同じである。従って、全ての電極素板について電極幅２ｒや厚さｔは同一である。これに対し、イオン光軸Ｃ方向の隣接電極素板の間隔は一定ではなく、間隔がｄ１である前半領域３０Ａと間隔がｄ１よりも狭いｄ２である後半領域３０Ｂとに分けられる。即ち、１本の仮想ロッド電極の中で、隣接電極素板の間隔についてｄ１、ｄ２という異なる２種類の間隔が存在している。
【手続補正２】
【補正対象書類名】明細書
【補正対象項目名】００５２
【補正方法】変更
【補正の内容】
【００５２】
図６はプレフィルタ６として利用されるＱアレイのさらに別の例を示す図である。このＱアレイ８０では、１本の仮想ロッド電極の中で、隣接する電極素板の間隔及び各電極素板の厚さは一定であるが、各電極素板の幅、即ち、広い意味でのイオン光軸Ｃに向いた外縁形状が相違している。即ち、イオン入射側の４枚の電極素板８１１、８２１、８３１及び８４１の幅は最も狭く、イオン出射側に向かって順に電極素板の幅が広くなっている。これにより、図４、図５の構成と同様の効果を奏する。なお、この例では、イオン光軸Ｃに向いた各電極素板の外縁形状は半円形状であるため、幅の相違はその半径形状の円弧の曲率半径が相違することと同じである。
【手続補正３】
【補正対象書類名】明細書
【補正対象項目名】００５３
【補正方法】変更
【補正の内容】
【００５３】
図７はプレフィルタ６として利用されるＱアレイのさらに別の例を示す図である。このＱアレイ９０では、１本の仮想ロッド電極の中で、隣接する電極素板の間隔及び各電極素板の厚さは一定であるが、各電極素板にあってイオン光軸Ｃに向いた外縁形状が相違している。即ち、イオン入射側の４枚の電極素板９１１、９２１、９３１及び９４１の外縁形状は尖頭状であり、その後方の４枚の電極素板９１２、９２２、９３２及び９４２の外縁形状は半円形状であり、イオン出射側の４枚の電極素板９１３、９２３、９３３及び９４３の外縁形状は矩形状である。これにより、図４、図５、図６の構成と同様の効果を奏する。
【手続補正４】
【補正対象書類名】明細書
【補正対象項目名】００６７
【補正方法】変更
【補正の内容】
【００６７】
以上のように、本発明に係る質量分析装置において特徴的な仮想多重極イオン輸送光学系では、１つのイオン光学系において例えばイオン入口側とイオン出口側とで高次の多重極場成分を適宜に調整することができるので、従来の多重極イオン輸送光学系や仮想多重極イオン輸送光学系に比べてより高い効率でイオンを後段のイオン光学素子に送り込むことができる。
【国際調査報告】
2008129751.tif 000022
2008129751.tif 000023
2008129751.tif 000024
2008129751.tif 000025